(57)【要約】【課題】ＰＣ無しで、ＣＤ等の紙以外の媒体である非紙媒体の読取画像を、ユーザが、非紙媒体に最適化してプリントすることができる画像形成装置を提供することを目的とするものである。【解決手段】ＣＤＲ等の媒体である非紙媒体へ印刷する場合、上記非紙媒体へのインクの再現性が最適になるように、プリンタ出力用の色調整を独立して設定可能な画像形成装置であり、また、非紙媒体の反射率の違いによって、色再現性が異なるので、読取画像に対しても、最適化された画像可能な画像形成装置である。【選択図】  図３
2004237467.tif 000002
【特許請求の範囲】
【請求項１】
紙媒体と、紙以外の媒体である非紙媒体とから画像データを取得する読取手段と；
上記読取手段が読取った画像データを、紙媒体と非紙媒体とに印刷する印刷手段と；
上記印刷手段へ、上記紙媒体を供給する紙媒体供給手段と；
上記非紙媒体を上記印刷手段へ供給し、画像形成装置の本体装置に着脱可能である非紙媒体供給手段と；
上記非紙媒体供給手段が上記本体装置に装着されているか否かを監視する第１の監視手段と；
上記非紙媒体への印刷用として独立して設けられているプリント出力用の色調整テーブルと；
上記非紙媒体への印刷時に、上記プリント出力用の色調整テーブルを選択的に切り換え、この切り換えられた上記プリント出力用の色調整テーブルに基づいて上記媒体に印刷させる制御手段と；
を有することを特徴とする画像形成装置。
【請求項２】
紙媒体と、紙以外の媒体である非紙媒体とから画像データを取得する読取手段と；
上記読取手段から読取った画像データを紙媒体と非紙媒体とに印刷する印刷手段と；
上記印刷手段へ上記紙媒体を供給する紙媒体供給手段と；
画像形成装置の本体装置に着脱可能であり、上記非紙媒体を上記印刷手段へ供給する非紙媒体供給手段と；
上記非紙媒体供給手段が上記本体装置に装着されているか否かを監視する第１の監視手段と；
上記非紙媒体への印刷用として独立して設けられているスキャン用の色調整テーブルと；
上記非紙媒体への印刷時に、上記スキャン用の色調整テーブルを選択的に切り換え、この切り換えられた上記スキャン用の色調整テーブルに基づいて上記媒体に印刷させる制御手段と；
を有することを特徴とする画像形成装置。
【請求項３】
紙媒体と、紙以外の媒体である非紙媒体とから画像データを取得する読取手段と；
上記読取手段から読取った画像データを紙媒体と非紙媒体とに印刷する印刷手段と；
上記印刷手段へ紙媒体を供給する紙媒体供給手段と；
画像形成装置の本体装置に着脱可能であり、上記非紙媒体を上記印刷手段へ供給する非紙媒体供給手段と；
上記非紙媒体供給手段が上記本体装置に装着されているか否かを監視する第１の監視手段と；
上記非紙媒体の読取領域を指定する読取領域指定手段と；
上記読取領域指定手段が指定した上記非紙媒体の読取領域における読取画像データに基づいて、上記非紙媒体の印刷領域を位置検出し、マスキング処理を行い、上記非紙媒体に印刷させる制御手段と；
を有することを特徴とする画像形成装置。
【発明の詳細な説明】
【０００１】
【発明の属する技術分野】
本発明は、紙媒体を印刷部に供給する紙媒体供給手段以外に、紙以外の媒体である非紙媒体を印刷部に供給する非紙媒体供給手段を有する記録部を備え、上記非紙媒体の読取、印刷を最適化して処理する画像形成装置に関する。
【０００２】
【従来の技術】
近年、紙媒体を印刷部に供給する紙媒体供給手段以外に、ＣＤ（コンパクトディスク）等の紙以外の媒体である非紙媒体を印刷部に供給する非紙媒体供給手段を有し、上記非紙媒体に画像データを印刷することができる記録装置が知られている。
【０００３】
また、ＰＣ（パーソナルコンピュータ）等の情報処理端末に接続可能であり、ＣＩＳ（コンタクトイメージセンサ）や、ＣＣＤ等によって構成されている読取手段を有し、スキャン、コピー、ＰＣプリント、ファクシミリ等の機能を実行可能な複合機が知られている。
【０００４】
そこで、非紙媒体を印刷部に供給する非紙媒体供給手段を有する記録装置を複合機に搭載することが考えられる。
【０００５】
非紙媒体供給手段を有し、ＣＤＲプリント可能なプリンタの場合、ＣＤ等、または別の媒体の画像データを用いてＣＤＲプリントを行うには、基本的には、スキャナまたは複合機のスキャナ機能を用いて、ＰＣ上に印刷したい画像を取り込み、プリンタに接続されたＰＣ上で、プリントするデータを加工し、ユーザがＣＤＲプリントするためのプリンタ側で、セッティングする必要があり、また、ＰＣ上で操作する必要がある。
【０００６】
【発明が解決しようとする課題】
したがって、上記従来例では、各種のオペレーションとＰＣ自体とを必要とするので、手間とコストがかかるという問題がある。
【０００７】
また、上記従来例では、非紙媒体へ印刷する場合、上記媒体のインク吸着性等の違いによって、上記媒体のインクの再現性が、紙に印刷する場合とは異なり、したがって、ＰＣ上のプリンタドライバ側で色調整を行い、最適化して出力する必要があり、これらの操作が煩雑であるという問題がある。
【０００８】
本発明は、ＰＣ無しで、ＣＤ等の紙以外の媒体である非紙媒体の読取画像を、ユーザが、非紙媒体に最適化してプリントすることができる画像形成装置を提供することを目的とするものである。
【０００９】
【課題を解決するための手段】
本発明は、ＣＤＲ等の媒体である非紙媒体へ印刷する場合、上記非紙媒体へのインクの再現性が最適になるように、プリンタ出力用の色調整を独立して設定可能な画像形成装置である。
【００１０】
また、本発明は、非紙媒体の反射率の違いによって、色再現性が異なるので、読取画像に対しても、最適化された画像可能な画像形成装置である。
【００１１】
さらに、本発明は、読取時、ＣＤ等が置かれた指定領域の画像データに基づいて、印刷対象とするＣＤ等の位置を検出し、ＣＤＲ等へプリントする画像データのマスキングを行う画像形成装置である。
【００１２】
【発明の実施の形態および実施例】
図１は、本発明の一実施例である画像形成装置１００の概略構成を示すブロック図である。
【００１３】
画像形成装置１００において、ＣＰＵ１０１は、システム制御部であり、画像形成装置１００の全体を制御する。
【００１４】
ＲＯＭ１０２は、ＣＰＵ１０１が実行する制御プログラムや、組み込みオペレーティングシステム（ＯＳ）プログラム等を格納する。上記実施例では、ＲＯＭ１０２に格納されている各制御プログラムは、ＲＯＭ１０２に格納されている組み込みＯＳの管理下で、スケジューリングやタスクスイッチ等のソフトウエア制御を行う。
【００１５】
ＲＡＭ１０３は、ＳＲＡＭ（ｓｔａｔｉｃ  ＲＡＭ）等で構成され、プログラム制御変数等を格納し、また、オペレータが登録した設定値や、画像形成装置１００の管理データ等を格納し、各種ワーク用バッファ領域が設けられている。
【００１６】
画像メモリ１０４は、ＤＲＡＭ（ｄｙｎａｍｉｃ  ＲＡＭ）等で構成され、画像データを蓄積する。
【００１７】
データ変換部１０５は、ページ記述言語（ＰＤＬ）等の解析や、キャラクタデータのＣＧ（ｃｏｍｐｕｔｅｒ  ｇｒａｐｈｉｃｓ）展開等、画像データの変換を行う。
【００１８】
読取制御部１０６は、読取部１０７が、ＣＩＳイメージセンサ（密着型イメージセンサ）によって原稿を光学的に読取り、電気的な画像データに変換した画像信号を、一例として図２、図３に示す画像処理制御部を介して、２値化処理や中間調処理等の各種画像処理を施し、高精細な画像データを出力する。なお、上記実施例では、読取制御部１０６は、原稿を搬送しながら読取りを行うシート読取制御方式と、原稿台にある原稿をスキャンするブック読取制御方式との両制御方式に対応している。
【００１９】
操作表示部１０８は、数値入力キー、文字入力キー、ワンタッチ電話番号キー、モード設定キー、決定キー、取り消しキー等を具備し、ユーザが画像送信相手先データの決定や設定データの登録動作を行う操作部と、各種キー、ＬＥＤ（発光ダイオード）とＬＣＤ（液晶ディスプレイ）等によって構成され、オペレータによる各種入力操作や、画像形成装置１００の動作状況、ステータス状況の表示等を行う表示部である。
【００２０】
通信制御部１０９は、ＭＯＤＥＭ（変復調装置）や、ＮＣＵ（網制御装置）等によって構成されている。上記実施例では、通信制御部１０９は、アナログの通信回線（ＰＳＴＮ）１３１に接続され、Ｔ３０プロトコルでの通信制御、通信回線に対する発呼と着呼等の回線制御を行っている。
【００２１】
解像度変換処理部１１０は、画像データのミリ−インチ解像度変換等の解像度変換制御を行う。なお、解像度変換処理部１１０において、画像データの拡大縮小処理も可能である。
【００２２】
符号復号化処理部１１１は、画像形成装置１００が扱う画像データ（ＭＨ、ＭＲ、ＭＭＲ、ＪＢＩＧ、ＪＰＥＧ等）を、符号復号化処理し、拡大縮小処理を行う。
【００２３】
記録制御部１１２は、印刷される画像データに、図示しない画像処理制御部を介して、スムージング処理や記録濃度補正処理、色補正等の各種画像処理を施し、高精細な画像データに変換し、ＵＳＢホスト制御部１１４に出力する。また、ＵＳＢホスト制御部１１４を制御することによって、定期的に記録部１１５の状態情報データを取得する役割も果たす。
【００２４】
ＵＳＢファンクション制御部１１３は、ＵＳＢインタフェースの通信制御を行うものであり、ＵＳＢ通信規格に従って、プロトコル制御を行い、ＣＰＵ１０１が実行するＵＳＢ制御タスクからのデータを、パケットに変換し、外部の情報処理端末に、ＵＳＢパケット送信し、逆に、外部の情報処理端末からのＵＳＢパケットを、データに変換し、ＣＰＵ１０１に送信する。
【００２５】
ＵＳＢホスト制御部１１４は、ＵＳＢ通信規格で定められたプロトコルで通信を行う制御部である。ＵＳＢ通信規格は、双方向のデータ通信を高速に行うことができる規格であり、１台のホスト（マスター）に対し、複数のハブまたはファンクション（スレーブ）を接続することができる。ＵＳＢホスト制御部１１４は、ＵＳＢ通信におけるホストの機能を有する。
【００２６】
記録部１１５は、レーザビームプリンタやインクジェットプリンタ等によって構成されている印刷装置であり、カラー画像データ、またはモノクロ画像データを印刷部材に印刷する。ＵＳＢホスト制御部１１４との間で、ＵＳＢ通信規格で定められたプロトコルで通信を行い、特に、記録部１１５は、ファンクションの機能を有する。
【００２７】
ガイドセンサ１０は、非紙媒体供給手段を構成するＣＤＲガイドユニット２が装着されたことを検知するセンサであり、マイクロＳＷで構成され、このセンサの出力は、ＣＰＵ１０１と記録部１１５との両方に入力している。
【００２８】
ＣＤＲ−Ｐセンサ１１は、非紙媒体供給手段を構成するＣＤＲトレイ３上のＣＤＲ４が印字位置に到達したこと等を検知するセンサであり、反射型フォトインタラプタで構成され、このセンサの出力は、記録部１１５に入力される。
【００２９】
本実施例において、記録機能のＵＳＢ通信は、１対１の接続形態を用いる。
【００３０】
上記構成要素１０１〜１０６、１０８〜１１４は、ＣＰＵ１０１が管理するＣＰＵバス１２１を介して、相互に接続されている。
【００３１】
図２は、画像形成装置１００における読取部１０７と、読取制御部１０６と、解像度変換処理部１１０とを示すブロック図である。
【００３２】
読取部１０７内の読取センサ２０１は、画像を読み取るＣＩＳイメージセンサや、またはＣＣＤライン・イメージ・センサでもよく、主走査方向にセンサ解像度（６００ｄｐｉ、１２００ｄｐｉ、…）で、１ライン分のデータを読取ることができる。
【００３３】
読取センサ２０１で、読取った上記画像データを、読取制御部１０６内のＡ／Ｄ変換回路２０２に伝送する。Ａ／Ｄ変換回路２０２は、読取センサ２０１の出力信号を、１０〜１６ビットのデジタル信号に変換する。上記デジタル信号に対して図示しないが、ピーク検出回路の出力に基づいて、Ａ／Ｄ変換回路２０２が出力したデジタル信号で表された輝度のうちで、最適なビット数の輝度領域を選択し、ピーク検出回路でＡ／Ｄ変換出力の画像データのピーク値を検出し、光量オーバフロー検出回路で、Ａ／Ｄ変換出力が過剰な光量によってオーバフローしているかどうかを検出する等の処理を行うことが考えられる。
【００３４】
上記デジタル信号に対して、シェーディング補正回路２０３は、シェーディング補正と黒補正とを行う。補正データ蓄積部２０４は、シェーディング補正回路２０３で得られた補正データをストアし、このストアされた補正データに基づいて、シェーディング補正と黒補正とを行うＲＡＭによって構成されている。
【００３５】
ＲＧＢ／ＣＭＹＫ変換回路２０５は、カラー処理時は、シェーディング補正回路２０３で補正されたＲＧＢ画像データ（輝度データ）を、Ｙ（イエロー）、Ｍ（マゼンタ）、Ｃ（シアン）、Ｋ（ブラック）の濃度データに変換し、モノクロ処理時は、原稿画像の領域判定とγ変換とを行う。解像度変換回路２０６は、読取センサ２０１が読取った主走査方向の画像を、プリント部の解像度に変換し、読取った画像の大きさを縮小し、不要な画像をマスキング処理する。
【００３６】
２値化回路２０７は、解像度変換回路２０６から得た８〜１６ｂｉｔ／画素の画像データを、誤差拡散法等によって、２値化データに変換し、記録制御部１１２に出力する。
【００３７】
図３は、画像形成装置１００に設けられている読取制御部１０６におけるＲＧＢ／ＣＭＹＫ変換回路２０５の構成を示すブロック図である。
【００３８】
エッジ強調処理部３０１は、入力画像データ（ＲＧＢの輝度データ）を、画像バッファ（図示せず）に一時ストアし、この入力画像にエッジ強調処理を行う。変換テーブル３０７は、ＲＡＭ等で構成され、書き込むテーブル・データに応じて、複数種のルックアップ・テーブルとなる。
【００３９】
スキャナγ変換部３０２は、カラー処理時に変換テーブル（ルックアップ・テーブル）３０３を使用し、ＲＧＢの入力輝度信号を、ＣＭＹの濃度信号に変換する。
【００４０】
色／マスキング変換部３０４は、カラー処理時に、ＣＭＹ信号から周知の手法によって、Ｋ（黒）成分を生成する色変換と、演算テーブル（ルックアップ・テーブル）３０５を使用するマスキング変換とを行う。変換テーブル３０３と、演算テーブル３０５のルックアップ・テーブルとは、それぞれＲＡＭ等で構成されている。マスキング変換を行う際に、データを遅延させ、Ｃ、Ｍ、Ｙデータとの同期を図るために、画像バッファ（図示せず）を使用することも周知である。ＣＤＲ等の紙以外の媒体である非紙媒体への印刷時に、印刷対象のデバイスを判定し、判定結果に応じて、変換テーブル３０３と演算テーブル３０５とを切り替える。
【００４１】
印刷処理時にプリンタγ変換部３０６は、色／マスキング変換部３０４からの出力に対して、デバイスの特性に合わせて、ＣＭＹＫ各成分に対して、独立にγ補正を行う。上記と同様に、非紙媒体への印刷時に、印刷対象のデバイスを判定し、判定結果に応じて、変換テーブル３０７を切り替える。テーブルは、たとえば、６〜１２ビット／画素のデータをアドレス入力とし、８〜１６ビット／画素のデータを出力するように構成してもよい。
【００４２】
ユーザからのキー操作によって、読取り動作が指示されると、ＣＰＵ１０１は、ＲＯＭ１０２にストアされたテーブル・データの中から、読取デバイスと印刷デバイスとに応じた指定のテーブルを、変換テーブル３０３、３０７、演算テーブル３０５のルックアップ・テーブルに書き込む。テーブル・データは、フラッシュ・メモリにストアしてもよい。
【００４３】
次に、画像形成装置１００において、コピー動作である記録処理する動作について説明する。
【００４４】
図４は、画像形成装置１００において、コピー動作である記録処理する動作を示すフローチャートである。
【００４５】
まず、ユーザからのキー操作によって、コピー動作を開始する。ステップＳ４０１では、図１１に示すＣＤＲ４への印刷指示があるかどうかを判定し、ＣＤＲプリントを実施しない場合（Ｎｏ）、ステップＳ４０２では、図９に示すＣＤＲガイドユニット２が装着されているかどうかを、ガイドセンサ１０がチェックする。
【００４６】
ステップＳ４０２では、ＣＤＲガイドユニット２が装着されていなければ、紙媒体供給手段である紙への印刷パスで、記録紙への印刷が可能であるので、ＡＳＦ（給紙ユニット）を使用することを指示し（ステップＳ４０３）、通常の紙へのコピー記録処理を実行する（ステップＳ４０４）。
【００４７】
ステップＳ４０２で、ＣＤＲガイドユニット２が装着されている場合、ＣＤＲ４への印刷指示が無い、つまり通常の紙へのコピーであるにもかかわらず、ＣＤＲガイドユニット２が装着されている場合（Ｙｅｓ）、紙への印刷パス（紙媒体供給手段）が記録紙へ印刷できないので、ＣＤＲガイドユニット２を装着中である警告を、操作表示部１０８に表示する（ステップＳ４０５）。
【００４８】
ステップＳ４０１では、ＣＤＲプリントを実施する場合（Ｙｅｓ）、ステップＳ４０６で、上記と同様に、ＣＤＲガイドユニット２が装着されているかどうかを、ガイドセンサ１０がチェックする。
【００４９】
ステップＳ４０６で、ＣＤＲガイドユニット２が装着されている場合、紙以外の媒体（ＣＤＲ等）である非紙媒体へ印刷できるので、ＣＤＲガイドユニット２の使用を指示し（ステップＳ４０７）、ＣＤＲプリントのコピー処理を実行する（ステップＳ４０８）。
【００５０】
ステップＳ４０６では、ＣＤＲガイドユニット２が装着されていない場合（Ｎｏ）、ＣＤＲへの印刷指示があるにもかかわらず、ＣＤＲガイドユニット２が無いので、紙以外の媒体（ＣＤＲ等）である非紙媒体への印刷ができないので、ＣＤＲガイドユニット２が無い旨の警告を、操作表示部１０８に表示する（ステップＳ４０９）。
【００５１】
次に、画像形成装置１００において、コピー動作である記録処理のＣＤＲコピー処理（ステップＳ４０８）の動作について説明する。
【００５２】
図５は、画像形成装置１００において、コピー動作である記録処理のＣＤＲコピー処理（ステップＳ４０８）の動作を示すフローチャートである。
【００５３】
ＣＤＲコピー処理を開始すると、記録動作が可能であるかどうかを、各種ステータス情報に基づいて判断し（Ｓ５０１）、記録動作が可能である場合（Ｙｅｓ）、読取画像データをメモリに格納する読取処理を行う（Ｓ５０２）。続いて、蓄積された画像データを、ＣＤＲプリント用に加工する（ステップＳ５０３）。ＣＤＲプリント用に加工された画像データに、紙以外のＣＤＲ等の媒体に適した色合わせを行うために、上記画像データを変換処理する（ステップＳ５０４）。
【００５４】
次に、ＣＤＲガイドユニット２の使用を、コマンドから指示し（ステップＳ５０５）、記録制御部１１２へ最適化された上記画像データを送信する（Ｓ５０６）。
【００５５】
続いて、ステップＳ５０７では、ＣＤＲガイドユニット２に、図１０に示すＣＤＲトレイ３が有るかどうかをチェックし、ＣＤＲトレイ３が無ければ（Ｎｏ）、ＣＤＲトレイ無しの警告を操作表示部１０８に表示する（ステップＳ５０８）。ステップＳ５０７では、ＣＤＲトレイ３が有れば（Ｙｅｓ）、さらに図１１に示すように、ＣＤＲ４が有るかどうかをチェックし（ステップＳ５０９）、ＣＤＲ４が無ければ（Ｎｏ）、ＣＤＲのメディアが無いことを示す警告を、操作表示部１０８に表示する（ステップＳ５１０）。ステップＳ５０９では、ＣＤＲ４のメディアもセットされている場合（Ｙｅｓ）、非紙媒体供給手段である印刷パスを通して、ＣＤＲプリントを実行する（ステップＳ５１１）。
【００５６】
次に、画像形成装置１００において、ＣＤＲコピー処理の読取処理（ステップＳ５０２）の動作を説明する。
【００５７】
図６は、画像形成装置１００において、ＣＤＲコピー処理の読取処理（ステップＳ５０２）の動作を示すフローチャートである。
【００５８】
記録動作が可能であることを判定した後に、読取処理を開始する。そこで、読取画像が、ＣＤ等の紙以外の媒体である非紙媒体であることを判定し（ステップＳ６０１）、非紙媒体である場合（Ｙｅｓ）、所定のスキャン位置に、非紙媒体をセットする（ステップＳ６０２）。
【００５９】
非紙媒体のセットには、ＣＤＲトレイ３のようなアダプタを使用することも考えられる。または、任意の位置にセットし、スキャンするようにしてもよい。所定の位置にセットする方が、読取時間、画像のマスキングには有利である。ステップＳ６０１で、紙媒体である場合（Ｎｏ）、読取対象となる画像のトリミング位置を指定する（ステップＳ６０３）。続いて、読取対象の倍率を指定する（ステップＳ６０４）。以上によって、読取対象となる画像のスキャン領域を確定することができる。
【００６０】
ステップＳ６０５では、上記指定領域のスキャンを実行し、次に、上記読取画像データを、ＲＡＭ１０３に格納する（ステップＳ６０６）。
【００６１】
次に、画像形成装置１００において、ＣＤＲコピー処理の画像データの加工処理（ステップＳ５０３）の動作について説明する。
【００６２】
図７は、画像形成装置１００において、ＣＤＲコピー処理の画像データの加工処理（ステップＳ５０３）の動作を示すフローチャートである。
【００６３】
蓄積された上記画像データを、ＣＤＲプリント用に加工処理する。まず、読取画像が非紙媒体であるかどうかを判定し（ステップＳ７０１）、非紙媒体であれば（Ｙｅｓ）、画像データに基づいて、非紙媒体の位置を検出する（ステップＳ７０２）。位置検出は、画像のマスキング処理のためであり、ＣＤＲ４であれば、媒体の大きさが決まっているので、画像のエッジ検出位置、濃度分布等から、基準となる中心、または左右のＸ、Ｙ座標を検出することができる。
【００６４】
上記位置情報に基づいて、ＣＤＲ印刷領域へのマスキング処理を行う（ステップＳ７０３）。ステップＳ７０１では、紙媒体であれば（Ｎｏ）、読取対象となる画像のトリミング位置、倍率の上記指定情報に基づいて、対象画像のトリミングと、ＣＤＲ印刷領域への画像データのマスキング処理とを行う（ステップＳ７０４）。
【００６５】
次に、画像形成装置１００において、ＣＤＲコピー処理の画像データ変換処理（ステップＳ５０４）の動作について説明する。
【００６６】
図８は、画像形成装置１００において、ＣＤＲコピー処理の画像データ変換処理（ステップＳ５０４）の動作を示すフローチャートである。
【００６７】
ＣＤＲプリント用の上記画像データに、非紙媒体への印刷に最適化する画像データ変換を施すために、読取画像が非紙媒体であるかどうかを判定し（ステップＳ８０１）、非紙媒体であれば（Ｙｅｓ）、ＲＧＢ／ＣＭＹＫ変換回路２０５のスキャナγ変換部３０２の変換テーブル３０３を、非紙媒体用に調整されたデータに変更する（ステップＳ８０２）。ステップ８０１で、紙媒体であれば（Ｎｏ）、変換テーブル３０３を、紙印刷等に調整された通常設定（デフォルト）に変更する（ステップＳ８０３）。
【００６８】
続いて、ＣＤＲプリントを行うかどうかをチェックし（ステップＳ８０４）、ＣＤＲプリントする場合（Ｙｅｓ）、ＲＧＢ／ＣＭＹＫ変換回路２０５の色／マスキング変換部３０４の演算テーブル３０５を、ＣＤＲ等の媒体用に調整されたデータに変更する（ステップＳ８０５）。そして、ＲＧＢ／ＣＭＹＫ変換回路２０５のプリンタγ変換部３０６の変換テーブル３０７を、ＣＤＲ等の媒体用に調整されたデータに変更する（ステップＳ８０６）。
【００６９】
ステップＳ８０４では、ＣＤＲプリントしない場合（Ｎｏ）、ＲＧＢ／ＣＭＹＫ変換回路２０５の色／マスキング変換部３０４の演算テーブル３０５を、紙印刷等に調整された通常設定（デフォルト）に変更する（ステップＳ８０７）。そして、ＲＧＢ／ＣＭＹＫ変換回路２０５のプリンタγ変換部３０６の変換テーブル３０７を、紙印刷等に調整された通常設定（デフォルト）に変更する（ステップＳ８０８）。
【００７０】
以上の処理によって、ＰＣ無しで、非紙媒体の読取画像を、非紙媒体に最適化された画像をプリントすることができる。
【００７１】
次に、画像形成装置１００の構造について説明する。
【００７２】
図９は、画像形成装置１００の全体を示す図であり、ＣＤＲガイドユニット２と記録紙トレイ５が装着された状態を示す図である。
【００７３】
記録紙トレイ５は、記録紙を積載するものであり、記録紙を搬送する構成は、紙媒体供給手段の例である。ＣＤＲガイドユニット２は、画像形成装置１００がＣＤＲ４に印字するものであり、ＣＤＲを印字位置に搬送する構成は、非紙媒体供給手段の例である。
【００７４】
図１０は、ＣＤＲトレイ３の全体を示す図である。
【００７５】
図１１は、ＣＤＲトレイ３にＣＤＲ４が搭載されている状態を示す図である。
【００７６】
図１２は、ＣＤＲトレイ３が、ＣＤＲガイドユニット２に挿入されている状態を示す図である。
【００７７】
ＣＤＲガイドユニット２が本体に装着されると、ＣＤＲトレイ３は、本体のモータによって駆動され、前後に搬送される。
【００７８】
図１３は、ＣＤＲガイドユニット２、ＣＤＲトレイ３が本体に装着された場合における動作を説明する図である。
【００７９】
ＣＤＲガイドユニット２が本体に装着されると、本体に取り付けられているマイクロスイッチで構成されたガイドセンサ１０の接点が閉じ、出力が変化する。そして、ＣＤＲ４が乗せられたＣＤＲトレイ３が、ＣＤＲガイドユニット２に挿入されると、ＣＤＲトレイ３は、本体のモータによって駆動され、印字位置まで搬送される。この状態で、本体に取り付けられている反射型フォトインタラプタで構成されたＣＤＲ−Ｐセンサ１１は、ＣＤＲ４からの反射光を検知し、出力が変化する構造になっている。
【００８０】
図１４は、記録紙への印字の紙パス（紙媒体供給手段）を示す断面図である。
【００８１】
記録紙トレイ５に積載されている記録紙は、図１４中、ａのパスで搬送され、ヘッド６の位置で印字され、排出される。
【００８２】
図１５は、ＣＤＲ４への印字の記録媒体（ＣＤＲ）のパス（非紙媒体供給手段）を示す断面図である。
【００８３】
図１４の状態から、ヘッド６が上に移動し、ＣＤＲトレイ３が通るスペースが作られるようになっている。図１４中、左側から挿入されたＣＤＲ４を搭載したＣＤＲトレイ３は、まずは、右側の一番奥まで搬送され、その後に、ＣＤＲ４の印字領域に、ヘッド６の位置に印字しながら、左側に搬送される。
【００８４】
図１４、図１５からわかるように、基本的には、紙媒体供給手段も非紙媒体供給手段も同じパスであり、したがって、両方の供給手段が同時には使用できない。つまり、ＣＤＲガイドユニット２が装着された状態では、記録紙への印字はできない構造になっている。
【００８５】
上記実施例によれば、ＣＤＲ等の媒体へ印刷する場合、プリンタ出力用の色調整を独立に設定できるようにするので、上記媒体へのインクの再現性を最適にすることができる。
【００８６】
また、上記実施例によれば、非紙媒体の場合、スキャン用の色調整を独立に設定できるようにするので、上記媒体の反射率の違いによる色再現性の相違に対し、読取画像についても、最適化された画像を、ＣＤＲ等にプリントすることができる。
【００８７】
さらに、上記実施例によれば、非紙媒体の読取画像を、非紙媒体にプリントする場合、読取時にＣＤ等が置かれた指定領域の画像データに基づいて、印刷対象とするＣＤ等の位置を検出し、ＣＤＲ等へプリントする画像データのマスキングを行うので、ＰＣ無しで、ダイレクトに最適化された画像を、ＣＤＲ等に印刷することができ、同時に、ユーザによるＰＣ上の煩雑な各種オペレーションの負担を無くし、ＰＣを使用しないユーザが、ＣＤＲプリントすることが可能である。
【００８８】
なお、上記実施例は、紙媒体と、紙以外の媒体である非紙媒体とから画像データを取得する読取手段と、上記読取手段が読取った画像データを、紙媒体と非紙媒体とに印刷する印刷手段と、上記印刷手段へ、上記紙媒体を供給する紙媒体供給手段と、上記非紙媒体を上記印刷手段へ供給し、画像形成装置の本体装置に着脱可能である非紙媒体供給手段と、上記非紙媒体供給手段が上記本体装置に装着されているか否かを監視する第１の監視手段と、上記非紙媒体への印刷用として独立して設けられているプリント出力用の色調整テーブルと、上記非紙媒体への印刷時に、上記プリント出力用の色調整テーブルを選択的に切り換え、この切り換えられた上記プリント出力用の色調整テーブルに基づいて上記媒体に印刷させる制御手段とを有することを特徴とする画像形成装置の例である。
【００８９】
また、上記実施例は、紙媒体と、紙以外の媒体である非紙媒体とから画像データを取得する読取手段と、上記読取手段から読取った画像データを紙媒体と非紙媒体とに印刷する印刷手段と、上記印刷手段へ上記紙媒体を供給する紙媒体供給手段と、画像形成装置の本体装置に着脱可能であり、上記非紙媒体を上記印刷手段へ供給する非紙媒体供給手段と、上記非紙媒体供給手段が上記本体装置に装着されているか否かを監視する第１の監視手段と、上記非紙媒体への印刷用として独立して設けられているスキャン用の色調整テーブルと、上記非紙媒体への印刷時に、上記スキャン用の色調整テーブルを選択的に切り換え、この切り換えられた上記スキャン用の色調整テーブルに基づいて上記媒体に印刷させる制御手段とを有することを特徴とする画像形成装置の例である。
【００９０】
さらに、上記実施例は、紙媒体と、紙以外の媒体である非紙媒体とから画像データを取得する読取手段と、上記読取手段から読取った画像データを紙媒体と非紙媒体とに印刷する印刷手段と、上記印刷手段へ紙媒体を供給する紙媒体供給手段と、画像形成装置の本体装置に着脱可能であり、上記非紙媒体を上記印刷手段へ供給する非紙媒体供給手段と、上記非紙媒体供給手段が上記本体装置に装着されているか否かを監視する第１の監視手段と、上記非紙媒体の読取領域を指定する読取領域指定手段と、上記読取領域指定手段が指定した上記非紙媒体の読取領域における読取画像データに基づいて、上記非紙媒体の印刷領域を位置検出し、マスキング処理を行い、上記非紙媒体に印刷させる制御手段とを有することを特徴とする画像形成装置の例である。
【００９１】
【発明の効果】
請求項１、請求項２記載の発明によれば、ＣＤＲ等の非紙媒体へ印刷する場合、プリンタ出力用の色調整を独立に設定できるようにするので、上記媒体へのインクの再現性を最適にすることができるという効果を奏する。
【００９２】
請求項３記載の発明によれば、読取時、ＣＤ等が置かれた指定領域の画像データに基づいて、印刷対象とするＣＤ等の非紙媒体の位置を検出し、上記非紙媒体へプリントする画像データのマスキングを行うので、ＰＣ無しで、上記非紙媒体の読取画像を、ユーザが、非紙媒体に最適化してプリントすることができるという効果を奏する。
【図面の簡単な説明】
【図１】本発明の一実施例である画像形成装置１００の概略構成を示すブロック図である。
【図２】画像形成装置１００における読取部１０７と、読取制御部１０６と、解像度変換処理部１１０とを示すブロック図である。
【図３】画像形成装置１００に設けられている読取制御部１０６におけるＲＧＢ／ＣＭＹＫ変換回路２０５の構成を示すブロック図である。
【図４】画像形成装置１００において、コピー動作である記録処理する動作を示すフローチャートである。
【図５】画像形成装置１００において、コピー動作である記録処理のＣＤＲコピー処理（ステップＳ４０８）の動作を示すフローチャートである。
【図６】画像形成装置１００において、ＣＤＲコピー処理の読取処理（ステップＳ５０２）の動作を示すフローチャートである。
【図７】画像形成装置１００において、ＣＤＲコピー処理の画像データの加工処理（ステップＳ５０３）の動作を示すフローチャートである。
【図８】画像形成装置１００において、ＣＤＲコピー処理の画像データ変換処理（ステップＳ５０４）の動作を示すフローチャートである。
【図９】画像形成装置１００の全体を示す図であり、ＣＤＲガイドユニット２と記録紙トレイ５が装着された状態を示す図である。
【図１０】ＣＤＲトレイ３の全体を示す図である。
【図１１】ＣＤＲトレイ３にＣＤＲ４が搭載されている状態を示す図である。
【図１２】ＣＤＲトレイ３が、ＣＤＲガイドユニット２に挿入されている状態を示す図である。
【図１３】ＣＤＲガイドユニット２、ＣＤＲトレイ３が本体に装着された場合における動作を説明する図である。
【図１４】記録紙への印字の紙パス（紙媒体供給手段）を示す断面図である。
【図１５】ＣＤＲ４への印字の記録媒体（ＣＤＲ）のパス（非紙媒体供給手段）を示す断面図である。
【符号の説明】
１００…画像形成装置、
１０１…ＣＰＵ、
１０２…ＲＯＭ、
１０３…ＲＡＭ、
１０４…画像メモリ、
１０５…データ変換部、
１０６…読取制御部、
１０７…読取部、
１０８…操作表示部、
１０９…通信制御部、
１１０…解像度変換処理部、
１１１…符号復号化処理部、
１１２…記録制御部、
１１３…ＵＳＢファンクション制御部、
１１４…ＵＳＢホスト制御部、
１１５…記録部、
２０２…Ａ／Ｄ変換回路、
２０３…シェーディング補正回路、
２０４…補正データ蓄積部、
２０５…ＲＧＢ／ＣＭＹＫ変換回路、
２０６…解像度変換回路、
３０１…エッジ強調、
３０２…スキャナγ変換、
３０３…変換テーブル、
３０４…色／マスキング変換、
３０５…演算テーブル、
３０６…プリンタγ変換、
３０７…変換テーブル。
【図１】
2004237467.tif 000003
【図２】
2004237467.tif 000004
【図３】
2004237467.tif 000005
【図４】
2004237467.tif 000006
【図５】
2004237467.tif 000007
【図６】
2004237467.tif 000008
【図７】
2004237467.tif 000009
【図８】
2004237467.tif 000010
【図９】
2004237467.tif 000011
【図１０】
2004237467.tif 000012
【図１１】
2004237467.tif 000013
【図１２】
2004237467.tif 000014
【図１３】
2004237467.tif 000015
【図１４】
2004237467.tif 000016
【図１５】
2004237467.tif 000017